【事件の表示】
　平成１１年特許願第１７９９４６号「電子部品のデータ作成装置及び電子部品装着装置」拒絶査定不服審判事件〔平成１３年　１月１２日出願公開、特開２００１−　　７５９８〕について、次のとおり審決する。
【結　論】
　本件審判の請求は、成り立たない。
【理　由】
１．手続の経緯
　本件審判に係る出願は、平成１１年６月２５日に出願されたものであって、その願書に添付した明細書又は図面についての平成１７年８月１１日付け手続補正がなされた後、同年９月２日付けで拒絶査定されたものである。
　そして、本件審判は、この拒絶査定を不服として請求されたものであって、平成１９年９月１２日付け拒絶理由通知書が発送され、これに対して上記明細書又は図面についての同年１１月１９日付け手続補正がなされている。
　
２．拒絶理由の内容
　平成１９年９月１２日付け拒絶理由通知書で示した拒絶理由は、概要、以下の拒絶理由Ａである。
　
拒絶理由Ａ；本件出願は、特許法第３６条第４項又は第６項に規定する要件を満たさない。
　
　そして、上記拒絶理由通知書には、以下の記載が認められる。
　
　「１．段落【００１３】〜【００３４】の記載について
　ここに記載されている【発明の実施の形態】の内容が不明であり、ここに記載のものを実施できない。
　例えば、・・・（審決注；「・・・」は、記載の省略を示す。以下、同様。）。
２．請求項の記載について
　各請求項に記載の発明は、データ作成装置或いは電子部品装着装置に係るものであり、段落【００１３】〜【００３４】に記載されている【発明の実施の形態】の内容は、これら発明を具体的に説明するものと推察されるが、先に「１」で述べたように、その内容が不明であるため、各請求項に記載の事項と、発明の詳細な説明に記載されている事項との関係が不明であり、各請求項の記載された発明が発明の詳細な説明に記載されている、ということができない。 
 　加えて、更に指摘する。・・・。
　なお、意見書等によっては、十分に釈明できないことが予想されるので、出頭して技術説明や明細書の記載事項についての説明をされたい。」
　
　なお、拒絶理由通知書の上記記載から明らかなように、請求人に対して、出頭しての技術説明や明細書の記載事項についての説明を要請したが、これに応えた事実はない。
　
３．当審の判断
　拒絶理由Ａの妥当性について検討する。
　
３−１．特許請求の範囲の記載
　本件の願書に添付した明細書又は図面（以下、「本件明細書等」という。）の特許請求の範囲の記載は、以下のとおりのものと認める。
　
　「【請求項１】　電子部品の位置認識用のデータを作成する電子部品のデータ作成装置において、各端子の位置を認識するために必要な各端子の端子位置認識用データを登録する端子位置認識用データ登録手段と、端子位置認識用データが登録された各端子について該端子位置認識用データに基づき認識された結果を電子部品の位置算出に使用するか使用しないかを示す使用有無データを登録する使用有無データ登録手段とを備えたことを特徴とする電子部品のデータ作成装置。
【請求項２】　装着ヘッドによって部品供給装置から取り出された電子部品の各端子の位置を認識することにより前記装着ヘッドに対する前記電子部品の位置ずれを認識しこの位置ずれの補正を行ってプリント基板の所望の位置に電子部品を装着する電子部品装着装置において、前記電子部品の各端子の位置を認識するために必要な端子位置認識用データを記憶する端子位置認識用データ記憶手段と、端子位置認識用データが記憶された各端子について認識された結果を電子部品の前記装着ヘッドに対する位置ずれの算出に使用するか使用しないかを示す使用有無データを記憶する使用有無データ記憶手段とを設けたことを特徴とする電子部品装着装置。
【請求項３】　装着ヘッドによって部品供給装置から取り出された電子部品の各端子の位置を認識することにより前記装着ヘッドに対する前記電子部品の位置ずれを認識しこの位置ずれの補正を行ってプリント基板の所望の位置に電子部品を装着する電子部品装着装置において、前記電子部品の各端子の位置を認識するために必要な端子位置認識用データを記憶する端子位置認識用データ記憶手段と、端子位置認識用データが記憶された各端子について認識された結果を電子部品の前記装着ヘッドに対する位置ずれの算出に使用するか使用しないかを示す使用有無データを記憶する使用有無データ記憶手段と、前記端子位置認識用データ記憶手段に記憶された端子位置認識用データに基づき認識された結果のうち、使用有無データ記憶手段に記憶された使用有無データが使用することとしている端子のもののみに基づき電子部品の前記装着ヘッドに対する位置ずれの算出を行うよう認識処理する認識処理手段とを設けたことを特徴とする電子部品装着装置。」 
　
　また、本件明細書等の段落【００１３】〜【００３４】の記載は、以下のとおりのものと認める。
　
　「【００１３】
【発明の実施の形態】
　以下、本発明による電子部品装着装置の一実施形態を添付の図面に基づいて詳細に説明する。
【００１４】
　図２において、電子部品装着装置１の基台２上にはＡビーム３およびＢビーム４のＹ方向への移動を案内する一対のレール５が配設されている。Ａビーム３およびＢビーム４はＸ方向に長くこの長手方向に沿って装着ヘッド７、８が夫々移動可能に配設されている。従って、装着ヘッド７、８はＸＹ方向に移動可能になされている。Ａ側Ｙ軸モータ１０により回動されるボールネジ軸１１がＡビーム３に固定された図示しないナットに螺合しており、Ａビーム３は該ボールネジ軸１１の回動によりレール５に沿って移動可能である。また、Ｂビーム４は同様な構造のボールネジ軸１２がＢ側Ｙ軸モータ１４に回動されることによりレール５に沿って移動する。基台２の図２における上方および下方の位置には夫々部品供給部が形成され、部品供給部では種々の電子部品１５を供給する部品供給装置１６がＸ方向に向かって並設されている。装着ヘッド７は部品供給装置１６から真空吸着により取出した電子部品１５をプリント基板１８の所望の位置に搬送して装着するものである。
【００１５】
　プリント基板１８は、基台２上に設置された搬送コンベア２０により搬送され所定の位置で図示しない固定機構により位置決め固定される。
【００１６】
　部品供給装置１６から取出された電子部品１５は部品認識カメラ２１によりその装着ヘッド８に対する位置ずれが認識される。
【００１７】
　また、基台２にはノズルストッカ２２が設置されており、装着ヘッド７、８に交換可能に取付けられた吸着ノズル２４が載置される。
【００１８】
　次に、電子部品装着装置１の制御系の構成について図３に基づき説明する。
【００１９】
　電子部品装着装置１の各要素はＣＰＵ２３が統括制御しており、制御上のプログラムを格納するＲＯＭ２４及び、各種プログラム及び各種データを格納するＲＡＭ２５がバスライン２６を介して接続されている。
【００２０】
　また、ＣＰＵ２３には操作画面等を表示するＣＲＴ２７及び該ＣＲＴ２７の表示画面に形成されたタッチパネル２８がインターフェース３０を介して接続されている。タッチパネル２８はＣＲＴ２７の画面上に任意にスイッチを表示する。
【００２１】
　次に、電子部品のデータ作成装置としての電子部品装着装置１を用いて部品認識用データを登録する操作について説明する。
【００２２】
　先ず、端子位置認識用データ登録手段としてのタッチパネルスイッチ２８を用いて、図１（ｂ）に示す電子部品１５の各リード端子３２の位置を認識するために必要な各端子の端子位置認識用データを登録する。登録された端子位置認識用データは端子位置認識用データ記憶手段としてのＲＡＭ２５に記憶される。
【００２３】
　この端子位置認識用データは、図１（ａ）の左側に示すようにグループ１、２及び３の端子３２毎にその位置等が指定される。グループ１の端子は図１（ｂ）の内側の端子群に属する端子３２であり、グループ２及び３の端子は両側の端子３２である。
【００２４】
　次に、使用有無データ登録手段としてのタッチパネルスイッチ２８を用いて、端子位置認識用データが登録された各端子について該端子位置認識用データに基づき認識された結果を電子部品の位置算出に使用するかどうかを示す使用有無データを登録する。この使用有無データは使用有無データ記憶手段としてのＲＡＭ２５に記憶される。図１（ａ）の右側のタイプ番号データに属する「認識使用」又は「認識不使用」のデータが使用有無データである。本実施形態ではタイプ番号のデータを介してこの使用有無データにリンクさせているが、グループ１又は２、３のデータの中に直接この使用有無データが書き込まれていてもよい。
【００２５】
　図１（ａ）のデータは一括して図１（ｂ）に示す電子部品１５のパーツライブラリデータの一部である。パーツライブラリデータは電子部品１５の種類毎に同様のものが登録されＲＡＭ２５内に記憶される。
【００２６】
　次に、電子部品装着装置１の生産運転動作について説明する。
【００２７】
　装着ヘッド７が部品供給装置１６から図１（ｂ）に示す電子部品１５を取り出すと、部品認識カメラ２１上に搬送される。
【００２８】
　次に、該カメラ２１が該電子部品１５を撮像し、その像に基づき電子部品１５の装着ヘッド７に対する位置ずれが認識処理される。
【００２９】
　この認識処理動作について詳述する。
【００３０】
　撮像された図１（ｂ）についてＲＡＭ２５に記憶された端子位置認識用データに基づき、各リード端子３２の位置がＣＰＵ２３に認識される。リード３２の先端中央位置の認識がされるのが普通であるが、リード３２の中央部の位置であってもよい。全てのリード端子３２について位置認識が終了すると、認識処理手段としてのＣＰＵ２３は端子位置認識用データに基づき、各リード端子３２の位置により各リード端子３２についてグループ１に属するものか、又はグループ２、３に属するものかを判断する。
【００３１】
　次に、ＣＰＵ２３は位置認識したリード端子３２がグループ１に属するリード端子３２であると判断した場合には、そのタイプ番号が１であるので図１（ａ）に示すようにタイプ１に属するデータ中の「認識使用」を読み取り、このリード端子３２の位置データが電子部品１５自体の位置認識に必要であることを判断する。
【００３２】
　また、ＣＰＵ２３は位置認識したリード端子３２がグループ２、３に属するリード端子３２であると判断した場合には、そのタイプ番号が２であるので図１（ａ）に示すようにタイプ２に属するデータ中の「認識不使用」を読み取り、このリード端子３２の位置データを電子部品１５自体の位置認識に使用しないことを判断する。
【００３３】
　次に、認識処理手段としてのＣＰＵ２３は認識結果のうちグループ１に属するリード端子３２の位置データに基づき、電子部品１５の装着ヘッドに対するＸＹ方向の位置ずれ及び、装着ヘッド７の基準からの鉛直線まわりのずれ角度を算出する。この算出の際にグループ１に属する全てのリード端子３２の位置ずれを平均する等して部品１５の位置ずれとしてもよいし、その一部の端子のデータのみを使用して算出してもよい。
【００３４】
　次に、装着ヘッド７は電子部品１５をプリント基板１８上に搬送し、その装着すべき位置に装着すべき角度で位置決めされるよう、算出された装着ヘッド７に対する位置ずれ量が補正される。即ち、ＸＹ方向の位置決めはＡビーム３及び該ビーム３上でのヘッド７の移動により位置ずれが補正されてなされ、角度位置決めは装着ヘッド自体が鉛直軸線まわりに補正量を加味して回転してなされる。」
　
３−２．検討
　
１）まずは、本件明細書等の、発明の詳細な説明に記載の発明について、その概要を見ていくことにする。
　
１−１）本件明細書等には、以下の記載が認められる。
　
ア；「【０００１】
【発明の属する技術分野】
　本発明は、電子部品の位置認識用のデータを作成する電子部品のデータ作成装置及び端子の位置を認識することにより電子部品の位置ずれを認識しこの位置ずれの補正を行ってプリント基板の所望の位置に電子部品を装着する電子部品装着装置に関する。
【０００２】
【従来の技術】
　この種電子部品の位置ずれを認識してそのずれを補正してプリント基板に装着する技術がある。そのために電子部品の端子毎の位置を認識して部品全体の位置ずれを算出することが行われており、また、この端子の位置認識をするためには端子毎に認識の対象としてその認識処理のためのデータが登録されている。
【０００３】
【発明が解決しようとする課題】
　しかし、最近の電子部品の中には例えば、図１（ｂ）に示すコネクタ部品のようなリード配置の部品をグループ１の認識結果のみで部品の位置決めを行いたい場合がある。これはグループ２、３のリード(端子)は部品を基板上に実装した時の保持力を強化する目的で設けられたものであり、グループ１に対する位置精度は良くなく（リード曲がりが大きい）、部品の位置決めの情報として使用することが好ましくないためである。
【０００４】
　このため、図１（ｂ）の部品のグループ２、３のリードについて認識用のデータ登録せずに認識処理を行うことにより、上記の要求を満たす方法が考えられる。しかし、この方法では、ピッチA,Bが同じであるためグループ１の両端リードの位置とグループ２、３のリードとの区別がつかないため、グループ２、３はデータ登録されていないにも拘わらず存在しないものが認識処理されることとなり、部品全体の位置認識ができないか、または間違った認識がされるという問題が発生する。
【０００５】
　また、逆にグループ２、３をデータ登録してしまえば、認識処理は正常に行えるが、グループ１，２，３全ての認識結果を使用して位置決めされてしまい部品全体として正確な位置認識ができない。
【０００６】
　そこで、本発明は、電子部品の位置認識に用いたくない端子があるときでも電子部品の位置認識を正確に行うことを目的とする。」（段落【０００２】〜【０００６】）
　
イ；「【００３５】
【発明の効果】
　以上説明したように、本発明によれば、区別が難しい端子であっても、各端子について電子部品の装着ヘッドに対する位置ずれの算出に使用するか使用しないかの区別をして位置ずれの算出には用いたい端子のデータのみを使ってすることができ、電子部品の位置決めを正確にすることができる。」（段落【００３５】）
　
１−２）これらの記載ア及びイは、文章として曖昧な部分があるものの、発明の詳細な説明において開示しようとする発明（以下、「本件開示発明」という。）の目的や効果といったものを記載するもので、ここには、電子部品の端子毎の位置を認識して電子部品全体の装着ヘッドに対する位置ずれを算出することが、従来、行われているが、本件開示発明は、その位置を認識するのに必要な端子と、認識に不要な端子があり、しかも、これらの端子間の区別が難しい電子部品であっても、各端子について上記位置ずれの算出に使用するか使用しないかの区別ができ、結果として、プリント基板の所望の位置に電子部品を正確に装着できるというものであるとまでは、言えそうである。
　
２）次に、本件開示発明について具体的に説明しようとするものであることが明らかな、本件明細書等の段落【００１３】〜【００３４】の記載（以下、「本件記載」という。）、を詳しく見ていくことにする。
　
２−１）段落【００２２】には、「端子位置認識用データ登録手段としてのタッチパネルスイッチ２８を用いて、図１（ｂ）に示す電子部品１５の各リード端子３２の位置を認識するために必要な各端子の端子位置認識用データを登録する。」と記載され、この記載によれば、端子位置認識用データとは、電子部品１５の各リード端子３２の位置を認識するために必要なものであることが、一応、分かる。
　そして、端子位置認識用データについては、段落【００２３】に「この端子位置認識用データは、図１（ａ）の左側に示すようにグループ１、２及び３の端子３２毎にその位置等が指定される。」と記載があり、この記載における「データ」は「情報」の意味と解せるが、この記載は、要するに、「データ（情報）は、端子の位置等が指定される。」との文になり、技術的内容を表す日本語として意味をなさないし、また、この段落【００２３】で引用されている「図１（ａ）の左側」には、例えば、「＜グループ１＞　グループ中心位置，先端位置　グループ方向　リードピッチ　リード本数　タイプ番号＝１」の記載が認められ、これらは、端子位置認識用データの内容を示すものと、一応、解せるが、例えば、グループ中心位置、グループ先端位置及びグループ方向については、その意味が不明であるし、これらのデータと、電子部品１５の各リード端子３２の位置を認識することとの技術的関連も不明となっている。
　以上のことから、端子位置認識用データなるものは、その技術的内容が不明確であるし、また、端子位置認識用データとは、上述したように、電子部品１５の各リード端子３２の位置を認識するために必要なものであるが、その必要なものであるとする技術的理由が不明となっている。
　
２−２）また、段落【００３０】には、「撮像された図１（ｂ）についてＲＡＭ２５に記憶された端子位置認識用データに基づき、各リード端子３２の位置がＣＰＵ２３に認識される。リード３２の先端中央位置の認識がされるのが普通であるが、リード３２の中央部の位置であってもよい。全てのリード端子３２について位置認識が終了すると、認識処理手段としてのＣＰＵ２３は端子位置認識用データに基づき、各リード端子３２の位置により各リード端子３２についてグループ１に属するものか、又はグループ２、３に属するものかを判断する。」と記載されている。そして、ここに記載の「撮像された図１（ｂ）について」は段落【００２８】及び【００２９】を合わせ見れば、「カメラ２１により撮像された電子部品１５について」と解せるものである。なお、この段落【００３０】の記載は、「認識処理手段としてのＣＰＵ２３は端子位置認識用データに基づき、各リード端子３２の位置により各リード端子３２についてグループ１に属するものか、又はグループ２、３に属するものかを判断する」旨を記載するものであるが、該旨が、本件の願書に最初に添付した明細書又は図面のいずれに記載があったかについての検討は、別の機会に譲るものである。
　そこで、検討すると、この記載によれば、ＣＰＵ２３は、端子位置認識用データに基づき、カメラ２１により撮像された電子部品１５の各リード端子３２の位置を認識し、更に、端子位置認識用データに基づき、各リード端子３２の位置により、各リード端子３２が、グループ１に属するものか、又はグループ２、３に属するものかを判断するものであるが、端子位置認識用データなるものは、先に「２−１）」で述べたように、その技術的内容が不明確なこともあって、この各グループに属するものかを判断する具体的手順が不明である。上述の各リード端子３２の位置を認識することも、また、各グループに属するものかを判断することも、上述したように、端子位置認識用データに基づくものであるが、それならば、何故、この各グループに属するものかの判断を、端子位置認識用データだけに基づいて行うのではなく、これに加えて、「端子位置認識用データに基づいて認識された」各リード端子３２の位置により行う必要性があるのかも不明である。端子位置認識用データなるものの技術的内容や、この属するものかの判断をする手順が分かれば、この必要性が明確になることもあり得るが、端子位置認識用データなるものも不明で、上記手順も不明であって、結局は、上記必要性も不明なのである。
　
２−３）本件記載は、先に「２）」の冒頭で述べたように、本件開示発明について具体的に説明しようとするものであることが明らかであるが、これまで述べてきたように、その記載内容が不明確で、結局のところ、本件明細書等には、実質的に、本件開示発明を具体的に開示している記載は見当たらないから、発明の詳細な説明は、その発明の属する技術の分野における通常の知識を有する者がその実施をすることができる程度に明確かつ十分に、記載されているとはいえないし、また、特許請求の範囲各請求項に記載の事項と、本件開示発明、更には、本件記載における記載事項との関係が不明であり、各請求項の記載された発明が発明の詳細な説明に記載されている、ということもできない。
　
３−３．まとめ
　本件出願は、特許法第３６条第４項又は第６項に規定する要件を満たさないものであって、拒絶理由Ａは、妥当である。
　
４．むすび
　拒絶理由Ａは、妥当である。
　よって、結論のとおり審決する。